(57)【要約】      （修正有）【課題】本発明は両脚を固定することで横向きに寝た場合に脚の移動による腰のねじれを解消することができる腰痛防止具を提供する。【解決手段】腰痛防止具１は、第１の脚巻着用バンド部２と、この第１の脚巻着用バンド部２と連結される第２の脚巻着用バンド部３とを備える。第１の脚巻着用バンド部２と第２の脚巻着用バンド部３が連結されることによって、両脚（一方の脚及び他方の脚）の大腿部を閉じた状態で固定することを可能とする。【選択図】図１
2013180115.tif 000002
【特許請求の範囲】
【請求項１】
環状に構成されている、若しくは、環状を構成可能な第１の脚巻着用バンド部と、
該第１の脚巻着用バンド部と連結されると共に、環状に構成されている、若しくは、環状を構成可能な第２の脚巻着用バンド部とを備える
腰痛防止具。
【請求項２】
所定長さを有する連結用帯体と、
該連結用帯体の一方の面に設けられると共に、環状に構成されている、若しくは、環状を構成可能な第１の脚巻着用バンド部と、
前記連結用帯体の他方の面に設けられると共に、環状に構成されている、若しくは、環状を構成可能な第２の脚巻着用バンド部とを備える
腰痛防止具。
【請求項３】
環状に構成されている第１の脚挿通部と、
該第１の脚挿通部と密着されると共に、環状に構成されている第２の脚挿通部とを有するズボン部を備える
腰痛防止具。
【請求項４】
前記第１の脚巻着用バンド部と、第２の脚巻着用バンド部は、その環状の大きさが可変可能な構成とされた
請求項１または請求項２に記載の腰痛防止具。
【請求項５】
前記第１の脚巻着用バンド部及び前記第２の脚巻着用バンド部が、収縮性弾性部材で形成された
請求項１または請求項２に記載の腰痛防止具。
【請求項６】
前記第１の脚挿通部と前記第２の脚挿通部とが係着自在とされた
請求項３に記載の腰痛防止具。
【請求項７】
一方の脚に巻着け可能に構成された第１の脚巻着用バンド部と、
該第１の脚巻着用バント部と連結されると共に、他方の脚に巻着け可能に構成された第２の脚巻着用バント部とを備える
腰痛防止具。
【請求項８】
所定長さを有する連結用帯体と、
該連結用帯体の一方の面に設けられると共に、一方の脚に巻着け可能に構成された第１の脚巻着用バンド部と、
前記連結用帯体の他方の面に設けられると共に、他方の脚に巻着け可能に構成された第２の脚巻着用バンド部とを備える
腰痛防止具。
【請求項９】
一方の脚が挿通可能とされた第１の脚挿通部と、
該第１の脚挿通部と密着されると共に、他方の脚が挿通可能とされた第２の脚挿通部を有するズボン部を備える
腰痛防止具。
【発明の詳細な説明】
【技術分野】
【０００１】
本発明は、腰痛防止具に関する。詳しくは、就寝時に脊椎に負担がかからない腰痛防止具に係るものである。
【背景技術】
【０００２】
横向きに寝る場合に、例えば、右肩を下向きにし、左足を右足の前部または後部に移動させれば、下半身がねじれ、重力により脊椎に負担が掛る。このように、脊椎に負担が掛ることで、腰痛の発生原因となっている。
【０００３】
ここで、腰痛防止具として、例えば特許文献1に記載されたものが知られている。
具体的には、特許文献１に記載された腰の体圧軽減癒しベルト１０１は、図８に示すように、端部に面ファスナー１０２を備えた帯状のベルト部材と、このベルト部材の中間部分に固着され、内部にマイクロビーズ、または化学繊維綿類を挿入したマット状部材１０３を有する。
【０００４】
このような構成の腰痛防止用としての体圧軽減癒しベルトは、就寝中に腰に巻き、寝床平面に対する腰部の凹み部分を埋めて、就寝中の身体への荷重を平均化し、腰への荷重負担を減らすことにより腰痛の改善を行うものである。
【先行技術文献】
【特許文献】
【０００５】
【特許文献１】実用新案登録第３１７０２２１号公報
【発明の概要】
【発明が解決しようとする課題】
【０００６】
しかしながら、上述の特許文献１に記載された体圧軽減癒しベルトでは、上向き状態での就寝に対して効果を奏するものであるが横向きに寝た場合では腰への荷重負担を減らすことができない。
【０００７】
また、横向きに寝た場合には、左足、あるいは右足の動きを制止することができないため、就寝中に下半身がねじれ、重力により脊椎に負担が掛る恐れがある。
【０００８】
本発明は、以上の点に鑑みて創案されたものであって、両脚を固定し、横向きに寝た場合に脚の移動による腰のねじれを解消できる腰痛防止具を提供することを目的とするものである。
【課題を解決するための手段】
【０００９】
上記の目的を達成するために、本発明に係る腰痛防止具は、環状に構成されている、若しくは、環状を構成可能な第１の脚巻着用バンド部と、該第１の脚巻着用バンド部と連結されると共に、環状に構成されている、若しくは、環状を構成可能な第２の脚巻着用バンド部とを備える。
【００１０】
ここで、環状に構成されている、若しくは、環状を構成可能な第１の脚巻着用バンド部によって、一方の脚を挿通する、あるいは一方の脚に巻着けることが可能となる。そして、そのことで、第１の脚巻着用バンド部を一方の脚に固定することが可能となる。
【００１１】
また、環状に構成されている、若しくは、環状を構成可能な第２の脚巻着用バンド部によって、他方の脚を挿通する、あるいは他方の脚に巻着けることが可能となる。そして、そのことで、第２の脚巻着用バンド部を他方の脚に固定することが可能となる。
【００１２】
更に、第１の脚巻着用バンド部と第２の脚巻着用バンド部が連結されたことによって、両脚（一方の脚及び他方の脚）の大腿部を閉じた状態で固定することが可能となる。
【００１３】
また、上記の目的を達成するために、本発明に係る腰痛防止具は、所定長さを有する連結用帯体と、該連結用帯体の一方の面に設けられると共に、環状に構成されている、若しくは、環状を構成可能な第１の脚巻着用バンド部と、前記連結用帯体の他方の面に設けられると共に、環状に構成されている、若しくは、環状を構成可能な第２の脚巻着用バンド部とを備える。
【００１４】
ここで、環状に構成されている、若しくは、環状を構成可能な第１の脚巻着用バンド部によって、一方の脚を挿通する、あるいは一方の脚に巻着けることが可能となる。そして、そのことで、第１の脚巻着用バンド部を一方の脚を固定することが可能となる。
【００１５】
また、環状に構成されている、若しくは、環状を構成可能な第２の脚巻着用バンド部によって、他方の脚を挿通する、あるいは他方の脚に巻着けることが可能となる。そして、そのことで、第２の脚巻着用バンド部を他方の脚に固定することが可能となる。
【００１６】
更に、所定長さの連結用帯体の一方の面に第１の脚巻着用バンド部が、他方の面に第２の脚巻着用バンド部が設けられることによって、両脚（一方の脚及び他方の脚）の大腿部で連結用帯体を挟んだ状態で固定することが可能となる。また、複数の第１の脚巻着用バンド部あるいは、第２の脚巻着用バンド部を取付けることが可能となる。
【００１７】
また、上記の目的を達成するために、本発明に係る腰痛防止具は、環状に構成されている第１の脚挿通部と、該第１の脚挿通部と密着されると共に、環状に構成されている第２の脚挿通部とを有するズボン部を備える。
【００１８】
ここで、環状に構成されている第１の脚挿通部によって、一方の脚を挿通することが可能となる。そして、そのことで、第１の脚挿通部を一方の脚に固定することが可能となる。
【００１９】
また、環状に構成されている第２の脚挿通部によって、他方の脚を挿通することが可能となる。そして、そのことで、第２の脚挿通部を他方の脚に固定することが可能となる。
【００２０】
更に、第１の脚挿通部と密着された第２の脚挿通部とを有するズボン部よって、腰回りと共に、両脚（一方の脚及び他方の脚）の大腿部を閉じた状態で固定することが可能となる。
【００２１】
また、第１の脚巻着用バンド部と、第２の脚巻着用バンド部は、その環状の大きさが可変可能な構成とされた場合には、一方の脚、または他方の脚の大腿部の周囲長さに応じて第１の脚巻着用バンド部及び第２の脚巻着用バンド部を脚に密着状に巻着することが可能となる。
【００２２】
また、第１の脚巻着用バンド部及び第２の脚巻着用バンド部が、収縮性弾性部材で形成された場合には、第１の脚巻着用バンド部及び第２の脚巻着用バンド部に脚を挿し通す、あるいは脚に巻き付けることで脚に密着した状態で固定することが可能となる。
【００２３】
また、第１の脚挿通部と第２の脚挿通部とが係着自在とされた場合には、例えば、第１の脚挿通部と前記第２の脚挿通部との係着を解除することで通常の歩行が可能となり、就寝時に第１の脚挿通部と第２の脚挿通部とを係着することで、両脚の大腿部を閉じた状態で固定することが可能となる。
【００２４】
また、上記の目的を達成するために、本発明に係る腰痛防止具は、一方の脚に巻着け可能に構成された第１の脚巻着用バンド部と、該第１の脚巻着用バント部と連結されると共に、他方の脚に巻着け可能に構成された第２の脚巻着用バント部とを備える。
【００２５】
ここで、一方の脚に巻着け可能に構成された第１の脚巻着用バンド部によって、一方の脚に巻着けることが可能となる。そして、そのことで、第１の脚巻着用バンド部を一方の脚に固定することが可能となる。
【００２６】
また、他方の脚に巻着け可能に構成された第２の脚巻着用バント部によって、他方の脚を巻着けることが可能となる。そして、そのことで、第２の脚巻着用バンド部を他方の脚に固定することが可能となる。
【００２７】
更に、第１の脚巻着用バンド部と第２の脚巻着用バンド部が連結されたことによって、両脚（一方の脚及び他方の脚）の大腿部を閉じた状態で固定することが可能となる。
【００２８】
また、上記の目的を達成するために、本発明に係る腰痛防止具は、所定長さを有する連結用帯体と、該連結用帯体の一方の面に設けられると共に、一方の脚に巻着け可能に構成された第１の脚巻着用バンド部と、前記連結用帯体の他方の面に設けられると共に、他方の脚に巻着け可能に構成された第２の脚巻着用バンド部とを備える。
【００２９】
ここで、一方の脚に巻着け可能に構成された第１の脚巻着用バンド部によって、一方の脚を巻着けることが可能となる。そして、そのことで、第１の脚巻着用バンド部を一方の脚に固定することが可能となる。
【００３０】
また、他方の脚に巻着け可能に構成された第２の脚巻着用バント部によって、他方の脚を巻着けることが可能となる。そして、そのことで、第２の脚巻着用バンド部を他方の脚に固定することが可能となる。
【００３１】
更に、連結用帯体の一方の面に第１の脚巻着用バンド部が、他方の面に第２の脚巻着用バンド部が設けられることによって、両脚（一方の脚及び他方の脚）の大腿部で連結用帯体を挟んだ状態で固定することが可能となる。また、複数の第１の脚巻着用バンド部あるいは、第２の脚巻着用バンド部を取付けることが可能となる。
【００３２】
また、上記の目的を達成するために、本発明に係る腰痛防止具は、一方の脚が挿通可能とされた第１の脚挿通部と、該第１の脚挿通部と密着されると共に、他方の脚が挿通可能とされた第２の脚挿通部を有するズボン部を備える。
【００３３】
ここで、一方の脚が挿通可能とされた第１の脚挿通部によって、一方の脚を挿通することが可能となる。そして、そのことで、第１の脚挿通部を一方の脚に固定することが可能となる。
【００３４】
また、他方の脚が挿通可能とされた第２の脚挿通部によって、他方の脚を挿通することが可能となる。そして、そのことで、第２の脚挿通部を他方の脚に固定することが可能となる。
【００３５】
更に、第１の脚挿通部と密着された第２の脚挿通部とを有するズボン部よって、腰回りと共に、両脚（一方の脚及び他方の脚）の大腿部を閉じた状態で固定することが可能となる。
【発明の効果】
【００３６】
本発明の腰痛防止具は、両脚を合せた状態で固定することにより、横向きに寝た場合であっても、脚の移動による腰のねじれを解消し、腰痛を防止することが可能となる。
【図面の簡単な説明】
【００３７】
【図１】本発明を適用した腰痛防止具の一例を説明するための立体模式図である。
【図２】本発明を適用した腰痛防止具の一例の使用状態を説明するための模式図である。
【図３】本発明を適用した腰痛防止具の係着手段の他の一例を説明するための立体模式図である。
【図４】本発明を適用した腰痛防止具の係着手段の他の一例の使用状態を説明するための模式図である。
【図５】本発明を適用した腰痛防止具の係着手段の更に他の一例を説明するための正面模式図である。
【図６】本発明を適用した腰痛防止具の係着手段の更に他の一例の要部を説明するための側面模式図である。
【図７】本発明を適用した腰痛防止具の係着手段の更に他の一例の使用状態を説明するための模式図である。
【図８】従来の腰痛防止具の一例を説明するための模式図である。
【発明を実施するための形態】
【００３８】
以下、本発明の実施の形態を図面を参酌しながら説明し、本発明の理解に供する。
【００３９】
＜第１の実施の形態＞
図１は本発明を適用した腰痛防止具の一例を説明するための立体模式図である。
【００４０】
ここで示す腰痛防止具１は、第１の脚巻着用バンド部２と、この第１の脚巻着用バンド部２に縫製により連結された第２の脚巻着用バンド部３とから構成されている。
【００４１】
ここで、第１の脚巻着用バンド部２と第２の脚巻着用バンド部３は、その開放端９に面状テープ４「マジックテープ（登録商標）」が取付けられている。これらの第１の脚巻着用バンド部２と第２の脚巻着用バンド部３の内径を自在に調整できる状態で、環状に連結可能な構成とされている。
【００４２】
なお、本実施例では第１の脚巻着用バンド部２、あるいは第２の脚巻着用バンド部３を、環状に連結する部材として面状テープ４について詳述するものであるが、必ずしも面状テープ４で連結する必要性な無い。
【００４３】
例えば、バックルによるベルト式などの連結部材であっても構わないが、片手でも容易に連結することができる面状テープによる形態が望ましい。
【００４４】
また、本実施例では、第１の脚巻着用バンド部あるいは、第２の脚巻着用バンド部は、面状テープ等の連結部材で環状可能な構成とすることについて詳述するものである。しかし、必ずしも環状可能な構成とする必要性はなく、当初から環状に構成されたものであっても構わない。
【００４５】
また、第１の脚巻着用バンド部あるいは、第２の脚巻着用バンド部はいかなる素材であっても構わないが、例えば、収縮性を有する環状ゴム帯（図示せず。）で構成することで、それぞれの脚に密着状に巻着することができる。
【００４６】
次に、図２は本発明を適用した腰痛防止具の一例の使用状態を説明するための模式図である。
【００４７】
ここで、腰痛防止具１は、第１の脚巻着用バンド部２と第２の脚巻着用バンド部３を脚Ａ、Ａに巻き付けて面状テープ４で固定する。この面状テープ４により大腿部の周囲長さに応じて自在に巻着することが可能となる。
【００４８】
この様に両脚Ａ、Ａの大腿部を閉じた状態で固定することで、脊椎がねじれるのを抑止することが可能となる。
【００４９】
以上の構成の腰痛防止具は、両脚を第１の脚巻着用バンド部と第２の脚巻着用バンド部により容易に固定することができる。
【００５０】
従って、横向きに寝た場合に脊椎が真っ直ぐに近い状態で保持されることで、体重が体全体に分散されて脊椎を痛めることがない。
【００５１】
また、両脚が固定されることで脊椎がねじれることもなく、重力で脊椎を痛めることがない。
【００５２】
＜第２の実施の形態＞
図３は本発明を適用した腰痛防止具の他の一例を説明するための立体模式図である。
【００５３】
ここで示す腰痛防止具１Ａは、縦長状の連結用帯体５の両側面６、６の長手方向に対して直交するような状態で２個ずつ配置される帯状の第１の脚巻着用バンド部２Ａと第２の脚巻着用バンド部３Ａが取付けられている。
【００５４】
この第１の脚巻着用バンド部２Ａと第２の脚巻着用バンド部３Ａは、その開放端９に面状テープ４「マジックテープ（登録商標）」が取付けられ、第１の脚巻着用バンド部２Ａと第２の脚巻着用バンド部３Ａの内径を自在に調整できる状態で環状に連結可能な構成とされている。
【００５５】
なお、本実施例では第１の脚巻着用バンド部２Ａ、あるいは第２の脚巻着用バンド部３Ａを、環状に連結する部材として面状テープ４について詳述するものであるが、必ずしも面状テープ４で連結する必要性な無い。
【００５６】
例えば、バックルによるベルト式などの連結部材であっても構わないが、片手でも容易に連結することができる面状テープによる形態が望ましい。
【００５７】
また、本実施例では、第１の脚巻着用バンド部あるいは、第２の脚巻着用バンド部は、面状テープ等の連結部材で環状可能な構成とすることについて詳述するものである。しかし、必ずしも環状可能な構成とする必要性はなく、当初から環状に構成されたものであっても構わない。
【００５８】
また、第１の脚巻着用バンド部あるいは、第２の脚巻着用バンド部はいかなる素材であっても構わないが、例えば、収縮性を有する環状ゴム帯（図示せず。）で構成することで、それぞれの脚に密着状に巻着することができる。
【００５９】
次に、図４は本発明を適用した腰痛防止具の係着手段の他の一例の使用状態を説明するための模式図である。
【００６０】
ここで、腰痛防止具１Ａは、連結用帯体５を両脚Ａ、Ａの内股に挟んだ状態で第１の脚巻着用バンド部２Ａと第２の脚巻着用バンド部３Ａを脚Ａ、Ａに巻き付けて面状テープ４で固定する。
【００６１】
この様に両脚Ａ、Ａを合せた状態で固定することで、脊椎がねじれるのを抑止することが可能となる。
【００６２】
以上の構成の腰痛防止具は、両脚間に脚間挟装部を挟んだ状態で、それぞれ２個の第１の脚巻着用バンド部２Ａと第２の脚巻着用バンド部３Ａにより両脚の大腿部を閉じた状態で固定することでできる。
【００６３】
従って、横向きに寝た場合に脊椎が真っ直ぐに近い状態で保持されることで体重が体全体に分散されて脊椎を痛めることがない。
【００６４】
また、所定長さの連結用帯体の両側面に複数の第１の脚巻着用バンド部あるいは、第２の脚巻着用バンド部を配置することで大腿部の数か所を固定することで均一して両脚を固定することが可能となる。
【００６５】
その結果、両脚が均一に固定されることで脊椎がねじれることもなく、重力で脊椎を痛めることがない。
【００６６】
＜第３の実施の形態＞
図５は本発明を適用した腰痛防止具の更に他の一例を説明するための正面模式図、図６は本発明を適用した腰痛防止具の係着手段の更に他の一例の要部を説明するための模式図である。
【００６７】
ここで示す腰痛防止具１Ｂは、第１の脚挿通部１０とその内股が係着部１２で密着された第２の脚挿通部１１とを有するズボン部８とから構成されている。
【００６８】
例えば、パジャマ、あるいは下着等のズボン部８の内股７、７面が縫製等による係着部１２で固着された構成とされている。
【００６９】
更に、第１の脚挿通部１０及び第２の脚挿通部１１は、例えば、ゴムを織り込んだ収縮性を有する繊維生地で形成されることで着用した際に脚に巻着することが可能となる。
【００７０】
なお、本実施例では、ズボン部８の内股７、７面が縫製等による係着部１２で固着された形態について詳述するものであるが、必ずしも当初から縫製等で固着する必要性はない。
【００７１】
例えば、ズボン部８の第１の脚挿通部１０及び第２の脚挿通部１１の係着部１２が互いの内股７、７が係着し合う面状テープ（図示せず。）を配置する、あるいは凹凸状のボタン等を設けることで着脱自在な構成であっても構わない。
【００７２】
次に、図７は本発明を適用した腰痛防止具の係着手段の更に他の一例の使用状態を説明するための模式図である。
【００７３】
ここで、腰痛防止具１Ｂは、ズボン部８を穿くことで第１の脚挿通部１０及び第２の脚挿通部１１で両脚Ａ、Ａの大腿部が閉じた状態で固定されることになる。
【００７４】
この様にズボン部８の第１の脚挿通部１０及び第２の脚挿通部１１で両脚Ａ、Ａが動けない状態に固定されることで、脊椎がねじれるのを抑止することが可能となる。
【００７５】
なお、第１の脚挿通部１０及び第２の脚挿通部１１の内股７、７が着脱自在な構成とされる場合には、例えばパジャマ等を穿いて通常の生活行動を行うことができる。そして、就寝時に、ズボン部８の第１の脚挿通部１０及び第２の脚挿通部１１の内股７、７を係着するものとする。
【００７６】
以上の構成の腰痛防止具は、ズボン構成とすることで両脚の大腿部と腰回りが一体的に固定されることで、違和感がなく、かつ、下半身全体を固定した状態を保持することが可能となる。
【００７７】
従って、横向きに寝た場合に脊椎が真っ直ぐに近い状態で保持されることで体重が体全体に分散されて脊椎を痛めることがない。
【００７８】
また、両脚が固定されることで脊椎がねじれることもなく重力で脊椎を痛めることがない。
【００７９】
また、第１の脚挿通部及び第２の脚挿通部が着脱自在とされる場合には、就寝以外では通常の生活行動が可能となる。
【符号の説明】
【００８０】
１、１Ａ、１Ｂ    腰痛防止具
２、２Ａ          第１の脚巻着用バンド部
３、３Ａ          第２の脚巻着用バンド部
４                面状テープ
５                連結用帯体
６                両側面
７                内股
８                ズボン部
９                開放端
１０              第１の脚挿通部
１１              第２の脚挿通部
１２              係着部
【図１】
2013180115.tif 000003
【図２】
2013180115.tif 000004
【図３】
2013180115.tif 000005
【図４】
2013180115.tif 000006
【図５】
2013180115.tif 000007
【図６】
2013180115.tif 000008
【図７】
2013180115.tif 000009
【図８】
2013180115.tif 000010